(57)【要約】【課題】パチンコ玉こぼれ落ちの心配なく玉磨き布の交換を容易に行えるとともに、パチンコ玉を滑らかに移動させることができるようにする。【解決手段】パチンコ玉が移動する螺旋通路Ｒを形成する通路ブロック２２と玉磨き布を有した研磨ユニットにおいて、通路ブロック２２を外部から切り欠いて螺旋通路Ｒ内のパチンコ玉の表面の一部を外部に露出させる露出部２６を設け、不図示の玉磨き布を露出部に位置させて、露出したパチンコ玉の表面を研磨するようにした。露出部２６はパチンコ玉を外部へ通過させないので、玉磨き布を交換のため取り外しても、パチンコ玉はこぼれ落ちることがなく、パチンコ玉の抜き取り作業を必要としない。また、パチンコ玉と接触する中間部３２は、露出部と非露出部との間で連続的に形成されているので、パチンコ玉が螺旋通路内を滑らかに移動することができる。【選択図】図４
2008161576.tif 000002
【特許請求の範囲】
【請求項１】
パチンコ玉が移動する通路を形成する通路部材と、
玉磨き布とを有し、
前記通路部材は、切り欠かれて前記通路内のパチンコ玉を外部へ通過させることなくパチンコ玉の表面の一部を外部に露出させる露出部を備え、
前記玉磨き布を前記露出部に位置させて、前記露出したパチンコ玉の表面を研磨するように構成し、
前記通路部材は、露出部において通路内を移動するパチンコ玉と接触する接触部を備え、
該接触部を露出部と非露出部との間で連続的に形成したことを特徴とするパチンコ玉研磨装置。
【発明の詳細な説明】
【技術分野】
【０００１】
本発明は、遊技施設で使用されるパチンコ玉を研磨するパチンコ玉研磨装置に関する。
【背景技術】
【０００２】
パチンコ店など遊技施設で使用されるパチンコ玉の研磨装置として、例えば特許文献１に開示されたものがある。
これは、図９に示すように、パチンコ玉の揚送機において、上下方向に掛け回された玉揚げベルト９０に対向させて、上下方向の玉送り溝９４を備えるガイド９３をスプリング９５の付勢力で押し付けるようにしたガイドケース９２を配置している。
玉送り溝９４には玉磨き布９６が敷設されて、玉揚げベルト９０が上方へ移動するに伴ってガイド９３との間に挟まれたパチンコ玉Ｐが転動し揚送される際に、パチンコ玉が玉磨き布９６により研磨される。なお、図中、９７は玉揚げベルトを裏面から支える押さえローラである。
【０００３】
上記特許文献１に示した装置では、ガイド９３に敷設された玉磨き布９６は定期的に交換する必要があるが、ガイド９３を支持するガイドケース９２を開くと玉揚げベルト９０とガイド９３との間に挟まれている多数のパチンコ玉がこぼれ落ちてくるので、直ちにガイドケース９２を開くことができず、開く前にガイドケース対応部分からパチンコ玉を別途の手段で抜き取らねばならない。しかし、パチンコ玉は玉揚げベルト９０とガイド９３との間にスプリング９５の付勢力で挟まれているので、通常は新しいパチンコ玉の流入を阻止した状態で玉揚げベルト９０を駆動して、ガイド９３対応領域のパチンコ玉を揚送することにより当該領域から抜き取ることになるが、短時間に全てのパチンコ玉を抜くことは困難で、或る程度のこぼれ落ちは避けられない。
【０００４】
また、他のパチンコ玉研磨装置としては特許文献２に開示されたものがある。
これは、図１０に示すように、パチンコ玉の搬送路１０７の経路途中に、パチンコ玉の一部を露出させる遊技媒体露出部１１２が設けられており、遊技媒体露出部１１２に沿うよう研磨装置１０２の研磨部材１０８がホルダ１０６に着脱可能に配置されている。
パチンコ玉は還元機１０４により搬送路内を揚送され、揚送途中のパチンコ玉は遊技媒体露出部１１２において研磨部材１０８と当接することにより研磨される。搬送路１０７には、研磨装置１０２を取り外した際にパチンコ玉が遊技媒体露出部１１２より漏出するのを防ぐ包持片１１０ａ，１１０ｂが設けられており、この包持片１１０ａ，１１０ｂにより、玉を抜き取ることなく研磨装置１０２の交換を行うことができる。
【特許文献１】特開平９−７３０号公報
【特許文献２】特開平９−１９２２９０号公報
【発明の開示】
【発明が解決しようとする課題】
【０００５】
しかしながら、上記特許文献２の装置では、パチンコ玉が搬送路内を揚送され遊技媒体露出部１１２の位置から非露出部（露出部１１２の上方）へ移動する際に、パチンコ玉が、この遊技媒体露出部１１２の縦方向の端部（図中Ａ）に当接してしまい、パチンコ玉が滑らかに移動せず、場合によっては搬送路内で詰まってしまうという問題がある。
【０００６】
本発明は、このような従来の問題点に鑑み、パチンコ玉こぼれ落ちの心配なく玉磨き布の交換を容易に行えるとともに、パチンコ玉を滑らかに移動させることができるパチンコ玉研磨装置を提供することを目的とする。
【課題を解決するための手段】
【０００７】
本発明のパチンコ玉研磨装置は、パチンコ玉が移動する通路を形成する通路部材と、玉磨き布とを有し、通路部材は、切り欠かれて通路内のパチンコ玉を外部へ通過させることなくパチンコ玉の表面の一部を外部に露出させる露出部を備え、玉磨き布を露出部に位置させて、露出したパチンコ玉の表面を研磨するように構成し、通路部材は、露出部において通路内を移動するパチンコ玉と接触する接触部を備え、接触部を露出部と非露出部との間で連続的に形成した。
【発明の効果】
【０００８】
本発明によれば、通路を移動するパチンコ玉が、露出部において玉磨き布と接触して擦られて研磨される。そして、露出部はパチンコ玉を外部へ通過させない程度に形成されているので、玉磨き布を交換する際に露出部から取り外してもパチンコ玉がこぼれ落ちることがなく、パチンコ玉の抜き取り作業を必要としない。
また、露出部において通路内を移動するパチンコ玉と接触する接触部を、露出部と非露出部との間で連続的に形成したので、パチンコ玉が通路内を滑らかに移動することができる。
【発明を実施するための最良の形態】
【０００９】
以下、本発明の実施の形態について詳細に説明する。
このパチンコ玉研磨装置は、例えばパチンコ台を横方向に並べた遊技島において、パチンコ台列の下方に配置されて各パチンコ台からオーバーフローしたパチンコ玉を回収する回収タンクと同様にパチンコ台列の下方に設置されて、各パチンコ台へ供給するパチンコ玉を貯留するためパチンコ台列の上方に配置された上部タンクへ回収タンクのパチンコ玉を揚送する揚送機の一部を兼ねる。
【００１０】
図１は実施の形態にかかるパチンコ玉研磨装置の外観斜視図である。
縦置きされた矩形枠フレーム１０の一方の側面に側壁１２が取り付けられ、側壁１２のフレーム内面側には上下にそれぞれ回転可能に支持された複数のプーリが設けられ、ベルト状の玉磨き布５４が上下のプーリ間を交互に掛け渡されている。
矩形枠フレーム１０の底部における一方の角側には、研磨ユニット２０が側壁１２に取り付けられて配置されている。
【００１１】
研磨ユニット２０は、矩形枠フレーム１０の内部において、その上端に側壁１２にそって水平方向に開口する玉出口２１ｏを備える。
矩形枠フレーム１０の他方の側面に上下に延びるブラケット１６が取り付けられ、研磨ユニット２０の玉出口２１ｏに入口を整合させた揚送樋６０がブラケット１６に固定されている。
揚送樋６０は上方向に延びて上端に出口を有している。揚送樋６０の入口近傍には、揚送樋内のパチンコ玉の落下を阻止するためのストッパ７０が付設されている。
研磨ユニット２０は側壁１２を貫通して、矩形枠フレーム１０の外部に玉入口を備えるとともに、外部に設置されたモータ５６により駆動される。
【００１２】
以下、各部の詳細について説明する。
図２は、研磨ユニット２０を示し、（ａ）は正面図、（ｂ）は（ａ）におけるＡ矢視図、（ｃ）は（ａ）におけるＢ−Ｂ部断面図、（ｄ）は（ａ）におけるＣ−Ｃ部断面図である。図３は研磨ユニット２０の外観斜視図である。
研磨ユニット２０は、内周面にパチンコ玉の経路を画する螺旋溝２４を備える通路ブロック２２と、通路ブロック２２内に挿入配置された円柱体３６とからなる。螺旋溝２４と円柱体３６の間にパチンコ玉の螺旋通路Ｒが形成される。
【００１３】
円柱体３６は円柱形状のハブ３７の外周にウレタンなどの弾性体３８を備え、弾性体３８の外径は当該弾性体と通路ブロック２２の螺旋溝２４間に適度の押圧力でパチンコ玉を挟むように設定されている。
円柱体３６は前述のモータ５６に連結されて、図２の（ａ）において右回り（時計方向）に回転駆動される。この円柱体３６の回転により、パチンコ玉は螺旋通路Ｒにそって強制的に移動される。なお、図２にはモータ５６との連結軸は図示省略している。
【００１４】
通路ブロック２２の螺旋溝２４は２列構成であり、図２の（ａ）において右回りで紙面手前方向に進み、その進行方向前端が通路ブロック２２の上端位置となっている。図２の（ｃ）に示すように、通路ブロック２２の上端には２つの螺旋通路Ｒ（Ｒ１、Ｒ２）が開口して玉出口２１ｏをなしている。一方、螺旋中心軸方向の反対側では、螺旋溝２４の進行方向後端が通路ブロック２２の下端位置で開口して、研磨ユニット２０の玉入口２１ｉとなっている。
【００１５】
図２の（ｂ）、（ｄ）に示すように、通路ブロック２２には外部から螺旋通路Ｒに達するまで切り欠いた露出部２６が形成されている。露出部２６は螺旋溝２４の２列分に相当する幅で通路ブロック２２の周方向略半周に及ぶ角度範囲を占めている。露出部２６の周方向略中間部には通路ブロック２２の剛性保持のため、螺旋溝２４の側壁をつなぐブリッジ２８が設けられている。
【００１６】
とくに図４に拡大して示すように、通路ブロック２２における螺旋溝２４の一般断面形状は、内径方向開口側をパチンコ玉の径に対応する第１の固定幅部３０とし、外形方向底部側をパチンコ玉Ｐの径よりも小さい第２の固定幅部３４とし、これら第１、第２の固定幅部の間をパチンコ玉と接触する弧面または傾斜面とした中間部３２としており、この中間部３２は螺旋通路全域にわたって連続的に形成されている。そして、露出部２６の深さは第２の固定幅部３４内に止まるとともに、パチンコ玉の表面の一部が露出部底面２７から外方へ露出するように設定してある。
これにより、パチンコ玉は一部露出しながらも、螺旋通路Ｒから外部へ脱漏することがない。そして、パチンコ玉の螺旋溝２４との転動線あるいは転動面は中間部３２上にあり、露出部と非露出部の間で不連続となることなく、パチンコ玉は螺旋溝２４を滑らかに移動する。
図２の（ｂ）に示すように、露出部２６では螺旋通路Ｒが斜めに延びている。
【００１７】
研磨ユニット２０の玉入口２１ｉには回収タンクに付設された不図示の供給装置から延びる供給樋８０が接続している。
図５に示すように、供給樋８０は玉入口２１ｉに開口する２列の螺旋通路に個別に接続する２つの樋通路８２（８２Ａ、８２Ｂ）からなり、各樋通路は、玉入口２１ｉとの接続部手前において、底壁８４と側壁８５の間にスリット８７を備えている。
スリット８７の幅はパチンコ玉の径よりも小さく、樋通路８２を移動するパチンコ玉はこぼれ落ちないように設定されている。これにより、パチンコ玉以外の異物は、研磨ユニット２０の螺旋通路Ｒに入る前に、スリット８７部分を通過する間に除去される。
【００１８】
矩形枠フレーム１０の側壁１２には前述のように複数のプーリが設けられ、玉磨き布が巻き掛けられている。
図６はブラケット１６を取り外してプーリと玉磨き布の配置を示す図である。
上部に駆動プーリ４０と４個のプーリ４２〜４５が列状に配置され、下部には研磨ユニット２０と並んで４個のプーリ４６〜４９が列状に配置されている。さらに研磨ユニット２０に近接させて研磨ユニットのほぼ直上にプーリ５０と、これに近接させたフレーム沿いにプーリ５１が配置されている。そして、図中、左端上部の駆動プーリ４０は側壁１２の裏面側に取り付けられた不図示のモータにより駆動され、その他のプーリ４２〜５１は回転自由のアイドラープーリである。駆動プーリ４０とこれに隣接するプーリ４２の間に上下にスライド可能のテンションプーリ４１が設けられている。
【００１９】
ベルト状の玉磨き布５４は、駆動プーリ４０からテンションプーリ４１を経て、上部のプーリ４２〜４５と下部のプーリ４６〜４９間を交互に往復したあと、図中、右下端のプーリ４９から研磨ユニット２０を経て、プーリ５０、５１を通って駆動プーリ４０へ戻るように掛け回されている。
この間、玉磨き布５４は右上端のプーリ４５と右下端のプーリ４９間で表裏反転されている。
玉磨き布５４は、研磨ユニット２０において露出部２６を通り、露出部２６におけるブリッジ２８を挟む前後所定部位を除いた範囲で螺旋通路Ｒから露出したパチンコ玉と接触する。図７にハッチングで玉磨き布５４におけるパチンコ玉との接触領域Ｓを示す。
【００２０】
テンションプーリ４１は、側壁１２に上下方向に形成されたガイド穴１４に沿ってスライド可能に設けられた不図示のプーリ軸に支持され、駆動プーリ４０と玉磨き布５４間に滑りが発生しないようにその重量を設定してある。
図５において、駆動プーリ４０は右回転し、玉磨き布５４はテンションプーリ４１側が緩み側となるので、テンションプーリ４１が玉磨き布５４につられて持ち上げられることはない。
【００２１】
図８は、ストッパ７０の詳細構造を示す。図８の（ａ）は一部断面正面図、（ｂ）は（ａ）におけるＤ−Ｄ部断面図である。（ｃ）はストッパの作動を示す説明図である。
ブラケット１６に固定された揚送樋６０は、研磨ユニット２０の２列の螺旋通路Ｒ１、Ｒ２に対応して、玉出口２１ｏの２つの開口につながる２つの玉通路６１（６１Ａ、６１Ｂ）に区画されている。
玉出口２１ｏにつながる揚送樋６０の入口近傍において、２つの玉通路６１にそれぞれブラケット１６の壁面に平行な方向に開口６４が形成され、開口６４から各玉通路内部へ端部を進入させたストッパ７０（７０Ａ、７０Ｂ）が設けられている。
ストッパ７０は扇形をなしており、その要に設けたボス７２の軸穴をブラケット１６に固定されたシャフト７５に支持されて回動自在となっている。
【００２２】
ストッパ７０は扇形の弧状縁７７を上向きにして、その重心がシャフト７５から揚送樋６０寄りに位置するように配されて、自重により玉通路６１内への進入方向に付勢され、自由状態では弧状縁７７の一端が玉通路６１の開口６４と反対側の内壁６６に当接する。一方、玉通路６１から抜け出し方向に回動されたときには、弧状縁７７の他端がブラケット１６に形成されたフランジ１８に当接して所定以上の回動が規制される。この規制位置において、ストッパ７０の重心は依然としてシャフト７５から揚送樋６０寄りに位置するとともに、ストッパ７０の一端側は玉通路６１内に位置している。
【００２３】
これにより、パチンコ玉の押し上げがないとき、あるいは他の要因でストッパ下側のパチンコ玉が沈んだときには、ストッパ７０が自重で進入して玉通路６１を横切ることにより、ストッパ７０の上側にあるパチンコ玉Ｐの落下が阻止され、また上側に滞留する多数のパチンコ玉の重量による研磨ユニット２０への悪影響が防止される。
【００２４】
一方、研磨ユニット２０からの排出により玉通路６１内でパチンコ玉が押し上げられるときには、パチンコ玉が図８の（ｃ）に示すようにストッパ７０を左回り（半時計方向）に回動させる。ここで、玉通路６１内でパチンコ玉を受けているストッパの上辺が弧状縁７７であるから、ストッパ７０が回動してもストッパの上辺の高さは変化しない。したがってストッパ７０より上側の多数のパチンコ玉を持ち上げる動作とならないので、ストッパ７０は軽い力で回動し、下方からのパチンコ玉の上方移動を許す。
【００２５】
以上のように構成されるパチンコ玉研磨装置では、研磨ユニット２０においてモータ５６により円柱体３６を回転駆動することにより、供給樋から入ったパチンコ玉が螺旋通路Ｒを転動しながら強制的に移動され、研磨ユニットの玉出口２１ｏから揚送樋６０へ排出される。
パチンコ玉は研磨ユニット２０の螺旋通路Ｒを移動する間、露出部２６において転動しながら玉磨き布５４と接触して擦られる。露出部２６では、パチンコ玉は螺旋通路Ｒにそって旋転しながら移動するので、固定した回転面上ではなく表面の広い範囲が研磨される。したがってわずかな回数の研磨ユニット通過によりパチンコ玉の表面全体が研磨される。
【００２６】
玉磨き布５４は一定期間静止し、その所定範囲を研磨ユニット２０の露出部２６に位置させてパチンコ玉の研磨を行い、定期的にモータを駆動して駆動プーリ４０を所定角度回転させることにより、露出部２６に位置させる所定範囲を順次ずらせていく。
【００２７】
実施の形態は以上のように構成され、モータ５６により回転駆動される円柱体３６と、内周面に螺旋溝２４を備えて円柱体３６との間にパチンコ玉の螺旋通路Ｒを形成する通路ブロック２２とからなる研磨ユニット２０と、玉磨き布５４とを含む。そして、通路ブロック２２は外部から切り欠かれて螺旋通路Ｒ内のパチンコ玉を外部へ通過させることなくパチンコ玉の表面の一部を露出させる露出部２６を備え、上記玉磨き布５４を露出部２６に位置させて、露出したパチンコ玉の表面を研磨するようにしたので、円柱体３６の回転駆動により螺旋通路Ｒを旋転しながら移動するパチンコ玉はその表面の広い範囲が玉磨き布５４と接触して研磨される。
また、露出部２６はパチンコ玉を外部へ通過させないので、玉磨き布５４を交換のため露出部２６から取り外しても、パチンコ玉は螺旋通路Ｒから露出するだけでこぼれ落ちることがなく、パチンコ玉の抜き取り作業を必要としない。
【００２８】
より具体的には、通路ブロック２２の螺旋溝２４は、内径方向開口側をパチンコ玉の径に対応する第１の固定幅部３０とし、外径方向底部側をパチンコ玉の径よりも小さい第２の固定幅部３４とし、第１、第２の固定幅部の間をパチンコ玉が接触する中間部３２とした断面形状を有し、この中間部３２が螺旋通路全域にわたって連続的に形成されており、露出部２６の深さは第２の固定幅部３４内に止めてあるので、パチンコ玉は一部露出しながらも螺旋通路Ｒから脱漏することがなく、しかも、パチンコ玉の螺旋溝２４との転動点あるいは転動面が露出部と非露出部の間で不連続とならないから、パチンコ玉は螺旋溝２４を滑らかに移動することができる。なお、実施の形態では、通路ブロック２２が発明における通路部材を、中間部３２が発明における接触部を構成している。
【００２９】
また、玉磨き布５４はベルト状をなしてプーリに掛けまわされ、プーリの回転により順次異なる部位を露出部２６に位置させるように構成し、さらには、玉磨き布５４はプーリ４５、４９の間で反転させてあるので、その表裏両面がパチンコ玉の研磨に有効に利用されることも相俟って、長期にわたって玉磨き布５４の交換が不要である。
【００３０】
通路ブロック２２の螺旋溝２４は複数列に形成され、露出部２６はその複数列のパチンコ玉が露出するように設けてあるので、多数のパチンコ玉を同時に効率よく研磨することができる。
【００３１】
そして、研磨ユニット２０から排出されるパチンコ玉を揚送する揚送樋６０に付設されたストッパ７０は、自重でパチンコ玉落下阻止側へ付勢されるので、別途付勢のためのスプリングを用いる必要がなく、ストッパ自体に磨耗を招いたり、スプリングの大きな力によりストッパが玉通路内壁に衝突したときの騒音を発生させることがない。
【００３２】
なお、実施の形態では、通路ブロック２２の螺旋溝２４を２列としたが、これに限定されず、任意の列数とすることができる。
また、玉磨き布５４を掛けまわすプーリは駆動プーリ４０のほかに上部、下部にそれぞれ４個ずつ並べて、玉磨き布を４往復させているが、これも使用する玉磨き布の長さに応じて適宜に往復数を設定すればよい。
【図面の簡単な説明】
【００３３】
【図１】実施の形態の外観斜視図である。
【図２】研磨ユニットを示す図である。
【図３】研磨ユニットの外観斜視図である。
【図４】螺旋溝の詳細を示す拡大断面図である。
【図５】研磨ユニットの玉入口側の構造を示す斜視図である。
【図６】プーリと玉磨き布の配置を示す図である。
【図７】玉磨き布におけるパチンコ玉との接触領域を示す説明図である。
【図８】ストッパの詳細構造を示す図である。
【図９】従来例を示す図である。
【図１０】従来例を示す図である。
【符号の説明】
【００３４】
１０    矩形枠フレーム
１２    側壁
１４    ガイド穴
１６    ブラケット
１８    フランジ
２０    研磨ユニット
２１ｉ    玉入口
２１ｏ    玉出口
２２    通路ブロック
２４    螺旋溝
２６    露出部
２７    露出部底面
２８    ブリッジ
３０    第１の固定幅部
３２    中間部
３４    第２の固定幅部
３６    円柱体
３７    ハブ
３８    弾性体
４０    駆動プーリ
４１    テンションプーリ
４２〜５１    プーリ
５４    玉磨き布
５６    モータ
６０    揚送樋
６１    玉通路
６４    開口
６６    内壁
７０    ストッパ
７２    ボス
７５    シャフト
７７    弧状縁
８０    供給樋
８２    樋通路
８４    底壁
８５    側壁
８７    スリット
Ｒ    螺旋通路
Ｓ    接触領域
【図１】
2008161576.tif 000003
【図２】
2008161576.tif 000004
【図３】
2008161576.tif 000005
【図４】
2008161576.tif 000006
【図５】
2008161576.tif 000007
【図６】
2008161576.tif 000008
【図７】
2008161576.tif 000009
【図８】
2008161576.tif 000010
【図９】
2008161576.tif 000011
【図１０】
2008161576.tif 000012